(57)【要約】      （修正有）【課題】研削効果に関するツール作業面の最適化が達成される目直しツールを提供する。【解決手段】本発明は、本体（２）を備える目直しツールに関し、本体（２）の作業面は、本体（２）上に分布する硬質材粒子（７）で覆われる。本発明によれば、硬質材粒子（７）を収容するための凹部（８）は、本体（２）に形成され、ここで凹部（８）は、その後、接着剤で充填され、過剰の接着剤は、本体（２）全体にわたって除去され、且つ、その後、硬質材粒子（７）が本体（２）上に投入され、その結果、凹部（８）に位置する粒子（７）だけが、ツールの作業面に接着したままとなる。前記硬質材粒子（７）は、その後、物理結合及び／又は化学結合を用いて、本体（２）に結合することが可能である。従って、ツールの作業面にわたる粒子（７）の分布は、内側におけるよりも外側において高い分布密度を有する。【選択図】図５
2019089199.tif 000002
【特許請求の範囲】
【請求項１】
作業面（６）を有する本体（２）と、この作業面にわたって分布する硬質材粒子（７）とを備える目直しツールであって、
互いに対して離れた距離で作り出される多数の凹部（８）が、前記本体（２）の中に組み込まれ、この凹部（８）の中に、硬質材粒子（７）が収容され、さらに、
前記凹部（８）は、ツールの中心軸に関連して、内側におけるよりも外側において高い分布密度を有し、単位面積当たり、より多くの硬質材粒子を備える
ことを特徴とする、目直しツール。
【請求項２】
前記凹部（８）の分布密度は区域から区域にわたって変化する、請求項１に記載の目直しツール。
【発明の詳細な説明】
【技術分野】
【０００１】
本発明は目直しツールに関し、この目直しツールは、作業面を有する本体と、この作業面にわたって分布する硬質材粒子とを備える。
【背景技術】
【０００２】
このタイプのツールは、特許文献１に開示されている。ここで説明されるツールは、特に、歯車及び同様な部品を研削するための、目直し研削ディスク及びウォーム砥石車に対して使用される。このツールを生産する方法においては、先ず、規定の膜厚で生産されるように、接着剤がツールの作業面に塗布される。そして、その後、接着剤が施された作業面に、硬質材粒子が塗布される。そして、接着剤が硬化した後、硬質材粒子は、微粒子被覆として、作業面に永久に結合されたままとなる。
【０００３】
この既知の方法では、この目的のために施された微粒子で、本体を素早く覆うことは可能であるが、しかし、ツールの作業面にわたって、完全に一様な分布密度の硬質材粒子を提供することは可能でない。このことは、該ツールによって達成され得る研削効果の品質に対して、負の影響を与え得る。
【先行技術文献】
【特許文献】
【０００４】
【特許文献１】欧州特許出願公開第２５３５１４５号明細書
【発明の概要】
【発明が解決しようとする課題】
【０００５】
本発明の根底にある目的は、目直しツール及びこれを生産するための方法を考案することである。ここで、このツールの本体は、改善された分布の硬質材粒子で覆われ、それ故に、このツールによって、研削効果に関するツール作業面の最適化が達成される。
【課題を解決するための手段】
【０００６】
本発明によれば、この目的は、硬質材粒子を収容するための、本体に形成された凹部によって達成され、この凹部の幾何形状は、硬質材粒子の幾何形状に適合している。このように、凹部に収容された粒子は、個々に正確に位置決めされ、即ち、ツールの作業面上の凹部についての配列及び分布に従って位置決めされる。硬質材粒子は、従って、硬質材粒子を収容する凹部によって、規定の分布密度で塗布されるが、この凹部は、ツールの作業面にわたって適切な分布で形成される。
【０００７】
実際面で特に有利となる分布密度は、凹部の配列によって作り出されるが、この密度分布は、完成したツールにおける粒子サイズに関連して、凹部の内側に対する硬質材粒子の特定の間隔に帰着する。
【０００８】
もし凹部が、ツールの中心軸に関連して、内側におけるよりも外側において、より高密度な分布で形成されるとすれば、そのことはまた、しばしば有利であり得る。
【０００９】
本発明による凹部は、一般に、各々が１つの硬質材粒子を収容し得るように寸法取りされ、且つ構成される。しかしながら、本発明の枠内では、粒子サイズ及び／又は微粒子の形状に依存して、凹部の各々がちょうど１つよりも多くの粒子を収容するように、凹部を寸法取りし、且つ構成することもまた可能である。
【００１０】
本発明によれば、凹部は、本体に穴をあけること、又は型押しすることによって、本体に形成される。本体は通常、金属製であるため、両方の生産方式は、装置に関連する大きな費用を伴うことなく、使用することが可能である。しかしながら、本体の構造に依存して、例えばレーザー操作方式のような、他の生産方式もまた、原則として使用することが可能である。
【００１１】
更に、本発明が提供するものとして、本体に形成された凹部は、好ましくは電気伝導性の接着剤で充填され、過剰の接着剤は、本体全体にわたって除去され、且つ、その後、硬質材粒子が本体上に投入される。このように、凹部の中に位置する微粒子だけが、ツールの作業面に接着したままとなることが保証される。
【００１２】
また、本発明が提供するものとして、作り出された微粒子被覆は、その後、直流電気でニッケルめっきされ、ニッケルの層は、接着剤上に堆積され、且つ硬質材粒子は、ニッケル結合によって囲まれる。硬質材粒子は、従って、特定の粒子高さまで、凹部の中で完全に取り囲まれたままとなり、例えば、ニッケル結合又はハンダ結合のような、物理結合及び／又は化学結合もまた、微粒子を望ましい方向に保持するのを支援する。この文脈の中で、もし本体中の凹部が、このように、好ましくは十二面体の形をした硬質材粒子のある一定の方位が、誘発されるように構成され、且つ寸法取りされるとすれば、それは有利なことである。
【００１３】
有利なことに、凹部は、むらの無い粒子形状及び／又は粒子サイズを有する硬質材粒子を収容し得るように寸法取りされ、且つ構成される。
【００１４】
以下では、本発明は、図面を参照しながら、代表的な実施形態を用いて、より詳細に説明されるであろう。
【図面の簡単な説明】
【００１５】
【図１】図１は、本体を備えた目直しツールであり、この図は、単純化された形で、且つわずかに遠近法的に例示されている。
【図２】図２は、図１による目直しツールの作業面の部分的領域の図である。
【図３】図３は、図１による作業面の単一の硬質材粒子であり、遠近法的に示されている。
【図４】図４は、図３による、この硬質材粒子の輪郭である。
【図５】図５は、図４による、線Ａ−Ａに沿った断面である。
【発明を実施するための形態】
【００１６】
図１に示す目直しツールは、ウォーム砥石車の縁部を目直しするのに役立つが、該ウォーム砥石車は、例えば、それに対応して形成された歯車を研削するために使用される。これらの目直しツールは、１つの本体２、又はこれら多数の本体２を有することが可能であり、これら多数の本体２は、対応する数の作業面６を有する。これらの作業面はまた、特別な輪郭形状を備えることが可能であり、且つ、加えて、目直しツールは、目直し歯車として生産することが可能である。
【００１７】
目直しツール１は、円筒シャフト３を有する本体２から成るが、円筒シャフト３は、軸４の周りに回転し得る本体２を駆動するために、回転駆動装置に連結することが可能である。本体の縁部５は、ツールの作業面６を形成する。この目的のために、作業面６は、硬質材粒子７の被覆を備える。
【００１８】
被覆の部分的領域は、図２で大幅に拡大して示されている。説明する代表的な実施形態では、ニッケル結合９によって埋め込まれた硬質材粒子７は、例えば、４００μｍの粒子直径と、好ましくは十二面体の形とを有するダイヤモンド粒子として提供される。使用条件に依存して、他の粒子形状及び他のサイズ、並びに、超研磨性材料又は同様な高度に研磨性の材料のような、他の材料もまた、もちろん使用可能である。
【００１９】
図３から図５までの詳細において見ることができるように、本発明によれば、正確に規定した分布で配列された凹部８は本体２に形成され、凹部の形及び寸法は、硬質材粒子７の形及び寸法に適合し、その結果、凹部は、あらまし形に合った粒子を、ある一定の粒子高さまで収容することが可能である。自らの特別な構成に基づいて、凹部はまた、硬質材粒子７に、ツールのそれぞれの機能に対して最適である整列を与えることが可能である。従って、それぞれの凹部の深さＴ、及びまた、粒子が突出する高さＨを決定することが可能であり、それ故に、パラメータは、ツールの最適な目直し及び最大寿命に対して、適切に構成することが可能である。
【００２０】
金属製の本体２が、通常、どの材料から作り出されるかに依存して、凹部８は、好ましくは、本体２に穴をあける、型押しする、且つ／又はレーザー照射する、のいずれかによって形成される。ツールの作業面６にわたる凹部８の分布密度は、完成したツールでは、内側における粒子７間の距離が、例えば、粒子サイズＤの約半分であるように選択される。説明する代表的な実施形態では、これらの距離は、水平方向及び垂直方向の両方において、むらが無い。
【００２１】
粒子の構造及び／又はツールの機能に依存して、凹部の分布密度を変化させることはもちろん可能であり、それ故に、全表面にわたって、又は区域から区域にわたって、粒子被覆の分布密度を変化させることが可能である。後者の場合、凹部８は、ツールの中心軸４に関して、外側においては、内側に適用されるよりも、より高い密度で分布し、その結果、完成したツールでは、凹部８は、内側におけるよりも外側において、単位面積当たり、より多くの硬質材粒子を備える。この理由は、通常の場合、外側に存在する粒子は、最初に使用され、それ故に、より長い時間では、内側に存在する粒子よりも多いからである。
【００２２】
本体の作業面６に凹部８を適用した後、凹部８は、電気伝導性の接着剤で充填され、且つ過剰の接着剤は、その後、例えばドクターブレードによって、本体２全体にわたって除去される。その後、ダイヤモンド粒子７が、作業面６上に投入され、粒子だけが、接着剤で充填された凹部８の中で接着されたままとなる。それに対応する凹部の配列を用いて、作業面６にわたる粒子分布は、多くの方法で変化させることが可能である。このように、ツールの作業面にわたる、正確に規定された粒子の分布が、常に作り出される。
【００２３】
本発明によるツールの設計は、従って、基本的に利点を有するが、その利点は、この設計が、予め正確に指定され得るツールの作業面にわたって、硬質材粒子の位置決めを保証するということである。設計値を適切に指定することによって、ツールは改善することが可能であり、その結果、それぞれの応用に対して、ツールは最適なものとなる。
【００２４】
作り出されるダイヤモンド被覆は、その後、直流電気でニッケルめっきされる。この場合、ダイヤモンド粒子用の接着剤は、続いて起こる直流電気プロセスの化学物質と両立するように選択される。使用される接着剤は電気伝導性であるため、ニッケル層は、何の問題もなく、接着材の上に堆積させることが可能であり、その結果、凹部の中に接着されたダイヤモンド粒子は、ニッケル結合によって適切に囲まれる。このように、凹部の縁部は封じられ、且つダイヤモンド粒子は、より良く保持される。
【００２５】
上で説明した代表的な実施形態は、特にウォーム砥石車を目直しすることを意図した目直しツール用の本体に関する。本発明は、上記のように使用することが可能であるが、しかしまた、例えば研削ツール又は砥石ツールのような、同様な方法で動作するツールについても、明らかに使用可能である。
【図１】
2019089199.tif 000003
【図２】
2019089199.tif 000004
【図３】
2019089199.tif 000005
【図４】
2019089199.tif 000006
【図５】
2019089199.tif 000007
【外国語明細書】
2019089199000001.pdf